(57)【要約】【課題】浴室の換気運転による排気ダクト内の結露を安価に乾燥させることを目的とする。【解決手段】浴室の空気を吸い込むための吸込口３と、他室からの空気を吸い込むための他室吸気口４と、吸込口３と他室吸気口４から空気を吸い込んで屋外に排出する換気ファン５と、吸込口３と他室吸気口４の屋外に排出する量を調整できる開閉装置６と、換気ファン５と開閉装置６とを制御する制御装置７ａを備え、換気運転終了後に制御装置７ａが前記開閉装置６を閉鎖して、他室吸気口４からの第２の換気風路９による排気を所定時間おこなうことで、他室の比較的乾いた空気を排気ダクト１０内に送ることで発生した結露を乾燥させる。【選択図】図１
2010091208.tif 000002
【特許請求の範囲】
【請求項１】
浴室に開口した吸込口から空気を吸い込んで排気ダクトより屋外に排気する換気ファンと、天井裏の空気や他室の空気を吸い込む他室吸気口と前記吸込口との風路の切り替えを行う開閉装置と、前記換気ファンと前記開閉装置とを制御する制御装置とを設け、前記制御装置は浴室内の換気運転終了後に前記開閉装置と前記換気ファンを駆動することにより、前記排気ダクト内に送風を行う構成とした換気空調装置。
【請求項２】
浴室に開口した吸込口から空気を吸い込んで排気ダクトより屋外に排気する換気ファンと、天井裏の空気や他室の空気を吸い込む他室吸気口と前記吸込口との風路の切り替えを行う開閉装置と、前記吸込口からの空気を吸い込んで前記浴室に開口した吹出口から空気を吹き出す循環ファンと、冷媒を圧縮する圧縮機から順番に前記循環ファンにより送風される空気と冷媒を熱交換させる第１熱交換器、冷媒を膨張させる膨張機構、前記換気ファンにより送風される空気と冷媒を熱交換させる第２熱交換器へ冷媒を循環させるように配管接続した冷媒回路と、前記第２熱交換器から滴下する凝結水を貯えるドレインパンと、前記循環ファンと前記換気ファンと前記冷媒回路と前記開閉装置を制御する制御装置とを設け、運転終了後に前記開閉装置と前記換気ファンを駆動することにより、空気を熱交換器とドレインパンと排気ダクト内に送りこむ構成とした請求項１記載の換気空調装置。
【請求項３】
圧縮機の冷媒の流路を切替える冷媒切替弁と、冷媒切替弁の切替えにより冷媒を圧縮する圧縮機から順番に前記冷媒切替弁、前記換気ファンにより送風される空気と冷媒を熱交換させる第２熱交換器、膨張機構、前記循環ファンにより送風される空気と冷媒を熱交換させる第１熱交換器へ冷媒を循環させるように配管接続した冷媒回路とを設け、制御装置は運転終了後に開閉装置と換気ファンを駆動しながら、前記冷媒切替弁の切替えをして前記冷媒回路を運転させて、空気を熱交換器とドレインパンと排気ダクト内に送りこむ構成とした請求項１記載の換気空調装置。
【請求項４】
制御装置に年間カレンダーを設け、季節により運転終了後の開閉装置と換気ファンを駆動する時間を変えることで、空気を熱交換器とドレインパンまたは排気ダクト内に送りこむ構成とした請求項１、２または３に記載の換気空調装置。
【請求項５】
前記他室吸気口の近傍に湿度検知する湿度センサーを設けることで、制御装置は運転終了後の開閉装置と換気ファンを駆動する時間を湿度により変えることで、空気を熱交換器とドレインパンまたは排気ダクト内に送りこむ構成とした請求項１、２、３または４に記載の換気空調装置。
【請求項６】
制御装置は冷媒回路と循環ファンにより浴室への吹出口から温風を吹出し、開閉装置と換気ファンを駆動することにより浴室の一部の空気を排気することで浴室の乾燥運転を行う構成とした請求項２または３記載の換気空調装置。
【請求項７】
前記制御装置は前記冷媒回路と前記循環ファンにより前記浴室への吹出口から温風を吹出し、前記開閉装置により浴室の空気を排気することなく循環させることで浴室の暖房運転を行う構成とした請求項２または３記載の換気空調装置。
【発明の詳細な説明】
【技術分野】
【０００１】
本発明は、例えば、ヒートポンプを利用して浴室などの換気空調を行う換気空調装置に関する。
【背景技術】
【０００２】
従来のヒートポンプを利用した浴室などの換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある（例えば、特許文献１参照）。
【０００３】
そして、ヒートポンプの熱交換器に生成される凝縮水は熱交換器の下部に設けられたドレインパンに滴下して一時的に貯えられ、ドレインパンに接続されたドレインパイプもしくはドレインポンプにより浴室の排水口や屋外などに排水される。
【０００４】
また、一般の空気調和機ではドレインパンに残った凝縮水を加熱装置と湿度センサー等により、カビの発生抑制をするものがある（例えば、特許文献２参照）。
【特許文献１】特開２００５−１８０７１２号公報
【特許文献２】特開平１１−１８２９１１号公報
【発明の開示】
【発明が解決しようとする課題】
【０００５】
以上のようにヒートポンプを利用した浴室の換気空調装置は、様々な形態のものが提案されている。特許文献１に例示される浴室空調装置は、浴室から屋外に排出される空気には浴槽からの蒸気を多数含んでおり、排気ダクト内等に結露して排気ダクト内に水が貯まり易く、施工上の都合で排気ダクトの曲がり等がある場合は、排気ダクト内の結露水が蒸発しにくく、カビが発生し易いという課題があった。
【０００６】
また、特許文献２に例示される空気調和機では、空気調和機の内部や吹き出しダクトではカビの発生の抑制に効果があるが、排気ダクト側の結露発生にはドレインパンの加熱装置と湿度センサーを設けても効果が少ないという課題があった。
【０００７】
本発明は上記従来の課題を解決するものであり、浴室の換気運転時に排気ダクト内の結露を安価に乾燥させることができる換気空調装置を提供することを第１の目的としている。
【０００８】
また本発明は、ヒートポンプを利用した乾燥運転、暖房運転による熱交換器や凝縮水を貯えるドレインパンの乾燥や排気ダクト内の結露を安価にできることを第２の目的としている。
【課題を解決するための手段】
【０００９】
上記した第１の目的を達成するために、本発明の換気空調装置は、浴室に開口した吸込口から空気を吸い込んで排気ダクトより屋外に排気する換気ファンと、天井裏の空気や他室の空気を吸い込む他室吸気口と前記吸込口との風路の切り替えを行う開閉装置と、前記換気ファンと前記開閉装置とを制御する制御装置とを設け、前記制御装置は浴室内の換気運転終了後に前記開閉装置と前記換気ファンを駆動することにより、前記排気ダクト内に送風を行う構成としたものである。
【００１０】
これにより、換気運転終了後に天井裏の空気や他室の空気を排気ダクト内に送りこむことで、排気ダクト内に結露した結露水を乾燥させることができる。
【００１１】
また、上記した第２の目的を達成するために、本発明の換気空調装置は、天井裏の空気や他室の空気を吸い込む他室吸気口と前記吸込口との風路の切り替えを行う開閉装置と、前記吸込口からの空気を吸い込んで前記浴室に開口した吹出口から空気を吹き出す循環ファンと、冷媒を圧縮する圧縮機から順番に前記循環ファンにより送風される空気と冷媒を熱交換させる第１熱交換器、冷媒を膨張させる膨張機構、前記換気ファンにより送風される空気と冷媒を熱交換させる第２熱交換器へ冷媒を循環させるように配管接続した冷媒回路と、前記第２熱交換器から滴下する凝結水を貯えるドレインパンと、前記循環ファンと前記換気ファンと前記冷媒回路と前記開閉装置を制御する制御装置とを設け、運転終了後に前記開閉装置と前記換気ファンを駆動することにより、空気を前記第２熱交換器と前記ドレインパンと前記排気ダクト内に送りこむ構成としたものである。
【００１２】
これにより、開閉装置と換気ファンにより天井裏の空気や他室の空気を第２熱交換器やドレインパンや排気ダクト内に送りこむことで、ドレインパンや排気ダクト内の凝縮水や結露水の乾燥させることができる。
【発明の効果】
【００１３】
本発明によれば、浴室の換気運転による排気ダクト内に結露した結露水を安価に乾燥させる効果のある換気空調装置を提供できる。
【００１４】
また、本発明によれば排気ダクト内に結露した結露水を乾燥することができ、そして、熱交換器や凝縮水を貯えるドレインパンの乾燥もできる効果のある換気空調装置を提供できる。
【発明を実施するための最良の形態】
【００１５】
本発明の請求項１記載の換気空調装置は、浴室に開口した吸込口から空気を吸い込んで排気ダクトより屋外に排気する換気ファンと、天井裏の空気や他室の空気を吸い込む他室吸気口と前記吸込口との風路の切り替えを行う開閉装置と、前記換気ファンと前記開閉装置とを制御する制御装置とを設け、前記制御装置は浴室内の換気運転終了後に前記開閉装置と前記換気ファンを駆動することにより、前記排気ダクト内に送風を行う構成としたものであり、天井裏の空気や他室の空気を排気ダクト内に送り込み、排気ダクト内の結露防止するという作用を有する。
【００１６】
また、本発明の請求項２記載の換気空調装置は、浴室に開口した吸込口から空気を吸い込んで排気ダクトより屋外に排気する換気ファンと、天井裏の空気や他室の空気を吸い込む他室吸気口と前記吸込口との風路の切り替えを行う開閉装置と、前記吸込口からの空気を吸い込んで前記浴室に開口した吹出口から空気を吹き出す循環ファンと、冷媒を圧縮する圧縮機から順番に前記循環ファンにより送風される空気と冷媒を熱交換させる第１熱交換器、冷媒を膨張させる膨張機構、前記換気ファンにより送風される空気と冷媒を熱交換させる第２熱交換器へ冷媒を循環させるように配管接続した冷媒回路と、前記第２熱交換器から滴下する凝結水を貯えるドレインパンと、前記循環ファンと前記換気ファンと前記冷媒回路と前記開閉装置を制御する制御装置とを設け、運転終了後に前記開閉装置と前記換気ファンを駆動することにより、空気を熱交換器とドレインパンと排気ダクト内に送りこむ構成としたものであり、前記第２熱交換器および前記ドレインパンに付着した凝結水を運転終了後に前記開閉装置と前記換気ファンを駆動することにより、天井裏の空気や他室の空気を前記第２熱交換器や前記ドレインパン及び前記排気ダクト内に送り込み、凝結水や排気ダクトの結露防止するという作用を有する。
【００１７】
また、本発明の請求項３記載の換気空調装置は圧縮機の冷媒の流路を切替える冷媒切替弁と、冷媒切替弁の切替えにより冷媒を圧縮する圧縮機から順番に前記流路切替弁、前記換気ファンにより送風される空気と冷媒を熱交換させる第２熱交換器、膨張機構、前記循環ファンにより送風される空気と冷媒を熱交換させる第１熱交換器へ冷媒を循環させるように配管接続した冷媒回路とを設け、制御装置は運転終了後に開閉装置と換気ファンを駆動しながら、前記冷媒切替弁の切替えをして前記冷媒回路を運転させて空気を熱交換器とドレインパンと排気ダクト内に送りこむ構成としたものであり、前記冷媒切替弁の切替えをして前記冷媒回路の運転により前記第２熱交換器が放熱することで、第２熱交換器に付着した凝結水の蒸発の促進や放熱空気をドレインパンと排気ダクト内に送りこむことにより、凝結水や排気ダクトの結露防止するという作用を有する。
【００１８】
また、本発明の請求項４記載の換気空調装置は、制御装置に年間カレンダーを設け、季節により運転終了後の開閉装置と換気ファンを駆動する時間を変えることで、空気を熱交換器とドレインパンまたは排気ダクト内に送りこむ構成としたものであり、運転終了後の開閉装置と換気ファンを駆動する時間を変えて、天井裏の空気や他室の空気を排気ダクト内に送り込むことで、前記第２熱交換器および前記ドレインパンの凝結水除去を行ないながら排気ダクト内の結露防止をするという作用を有する。
【００１９】
また、本発明の請求項５記載の換気空調装置は、前記他室吸気口の近傍に湿度検知する湿度センサーを設けることで、制御装置は運転終了後の開閉装置と換気ファンを駆動する時間を湿度により変えることで、空気を前記第２熱交換器と前記ドレインパンまたは前記排気ダクト内に送りこむ構成としたものであり、制御装置は天井裏の空気や他室の空気の吸気湿度に応じて、換気運転終了後や乾燥運転終了後もしくは暖房運転終了後の開閉装置と換気ファンを駆動する時間を変えることで、前記第２熱交換器および前記ドレインパンの凝結水除去を行ないながら排気ダクト内の結露防止をする。
【００２０】
さらに天井裏の空気や他室の空気の吸気湿度が低い場合に、換気ファンの駆動時間を短くすることで、省エネが図れるという作用を有する。
【００２１】
また、本発明の請求項６記載の換気空調装置は、制御装置は冷媒回路と循環ファンにより浴室への吹出口から温風を吹出し、開閉装置と換気ファンを駆動することにより浴室の一部の空気を排気することで浴室の乾燥運転を行う構成としたものであり、前記循環ファンにより浴室へ温風を吹き出しながら、前記開閉装置を開けて前期換気ファンにより空気の一部を排気ダクトへ送風して浴室の乾燥を行うという作用を有する。
【００２２】
また、本発明の請求項７記載の換気空調装置は、制御装置は冷媒回路と循環ファンにより浴室への吹出口から温風を吹出し、開閉装置により浴室の空気を排気することなく循環させることで浴室の暖房運転を行う構成としたものであり、前記開閉装置を閉じた状態にして、前記循環ファンにより温風を浴室へ吹き出して、浴室の暖房を行うという作用を有する。
【００２３】
以下、本発明の実施の形態について、図面を参照しながら説明する。
【００２４】
（実施の形態１）
本発明の実施の形態１について図１〜２に基づいて図３を参照しながら説明する。
【００２５】
図１は、本実施形態にかかる換気空調装置の風路構成と冷媒回路を示す図で、上方が天井、下方が浴室等である。図２は図１の主要部分の動作状態を示す図であり、図３は換気運転のタイミングチャートである。
【００２６】
図１において、天井１に設置された換気空調装置は、本体２には浴室に開口し浴室の空気を吸い込むための吸込口３と、他室からの空気を吸い込む他室吸気口４と、吸込口３と他室吸気口４から空気を吸い込んで排気ダクト１０より屋外に排出する換気ファン５と、吸込口３と他室吸気口４の屋外に排出する量を調整できる開閉装置６と、換気ファン５と開閉装置６とを制御する制御装置７ａが設けられている。
【００２７】
上記構成において、浴室の換気運転の場合は、前記制御装置７ａは前記開閉装置６を開にして前記換気ファン５を運転することで、吸込口３から開閉装置６と第２熱交換器１６を通って換気ファン５により排気ダクト１０へ送風する第１の換気風路８と他室吸気口４から第２熱交換器１６とその直下に配置したドレインパン１９を通って換気ファン５により排気ダクト１０へ送風する第２の換気風路９が換気ファン５へ形成され、浴室の湿った空気を排気ダクト１０より屋外へ排気する。したがって浴室空間の空気は屋外に排出され、新たな空気が浴室のギャラリ等から進入して浴室の換気が行われることになる。
【００２８】
浴室換気は一般に入浴終了後に数時間の運転することで、浴室を自然乾燥させるために使用される。
【００２９】
しかし、この浴室の湿った空気を排気することにより、排気ダクト１０内の結露が発生する。
【００３０】
換気運転終了後に制御装置７ａが前記開閉装置６を閉鎖して、他室吸気口４からの第２の換気風路９による排気を所定時間おこなうことで、他室の比較的乾いた空気を排気ダクト１０内に送ることで発生した結露を乾燥させる。
【００３１】
一般には微風があるだけで、付着した結露は減少する効果があるため、省エネの関係もあり、換気ファン５を微風量で運転させる。
【００３２】
（実施の形態２）
本発明の実施の形態２について図１〜２に基づいて図４を参照しながら説明する。図２は図１の主要部分の動作状態を示す図であり、図４は乾燥運転のタイミングチャートである。理解を容易にするために、実施の形態１と同一部分は同一番号を附し詳細な説明を簡略化する。
【００３３】
本実施の形態は、浴室に開口した吸込口３から空気を吸い込んで前記浴室に開口した吹出口１１から空気を吹き出す循環ファン１２と、冷媒を圧縮する圧縮機１３、前記循環ファン１２により送風される空気と冷媒を熱交換させる第１熱交換器１４、冷媒を膨張させる膨張機構１５、換気ファン５により送風される空気と冷媒を熱交換させる第２熱交換器１６の順に冷媒が循環するように配管接続した冷媒回路１７ａとを備え、第２熱交換器１６において屋外に排出される空気から冷媒が吸熱し、前記循環ファン１２を運転することにより、吸込口３から第１熱交換器１４を経由して循環ファン１２により吹出口１１から空気を吹き出す循環風路１８が形成され、第１熱交換器１４において浴室内を循環する空気に冷媒が放熱することによってから温風を吹出して浴室を温める。そして、実施の形態１と同様に開閉装置６を開にして前記換気ファン５を運転することで、吸込口３からの第１の換気風路８と他室吸気口４からの第２の換気風路９が換気ファン５へ形成され、浴室の湿った空気の一部を排気ダクト１０より屋外へ排気する。制御装置７ｂは前記循環ファン１２、前記冷媒回路１７ａ、前記開閉装置６、前記換気ファン５を運転させることで、浴室へ温風送風しながら換気をすることで、浴室内に洗濯物を干して乾かす乾燥運転することを特徴としている。
【００３４】
しかしながら、実施の形態１と同様に浴室の湿った空気を排気することにより、排気ダクト１０内の結露が発生する。
【００３５】
さらに前記冷媒回路１７ａの運転により、前記第２熱交換器１６で発生した凝結水や第２熱交換器１６から滴下した凝結水を貯えるドレインパン１９にも乾燥運転終了後にも付着している。
【００３６】
そのため、乾燥運転終了後に制御装置７ｂが前記開閉装置６を閉鎖して、他室吸気口４からの第２の換気風路９による排気を所定時間おこなうことで、他室の比較的乾いた空気を前記第２熱交換器１６と前記ドレインパン１９を経由して排気ダクト１０内に送ることで発生した凝結水や結露を乾燥させる。
【００３７】
一般には微風があるだけで、付着した凝結水や結露水は減少する効果があるため、省エネの関係もあり、換気ファン５を微風量で運転させる。
【００３８】
（実施の形態３）
本発明の実施の形態３について図１〜２に基づいて図５を参照しながら説明する。図２は図１の主要部分の動作状態を示す図であり、図５は暖房運転のタイミングチャートである。理解を容易にするために、実施の形態１と同一部分は同一番号を附し詳細な説明を簡略化する。
【００３９】
実施の形態２と同様に制御装置７ｃは循環ファン１２と冷媒回路１７ａを運転させ、開閉装置６を閉鎖にして前記換気ファン５を運転する。
【００４０】
第２熱交換器１６においては第２の換気風路９のみにより屋外に排出される空気から冷媒が吸熱し、循環ファン１２を運転することにより、吸込口３から第１熱交換器１４を経由して吹出口１１への循環風路１８が形成して浴室内に温風を吹出し、前記開閉装置６を閉鎖にすることで、浴室の換気を止めて温風の循環することで浴室の暖房運転することを特徴としている。
【００４１】
しかしながら、実施の形態２と同様に前記冷媒回路１７ａの運転により、前記第２熱交換器１６で発生した凝結水や第２熱交換器１６から滴下した凝結水を貯えるドレインパン１９に暖房運転終了後にも付着し、暖房運転中に前記換気ファン５の運転により、排気ダクト１０内の結露が発生する。
【００４２】
そのため、制御装置７ｃが暖房運転終了後に  前記開閉装置６を閉鎖を維持して、他室吸気口４からの第２の換気風路９による排気を所定時間おこなうことで、他室の比較的乾いた空気を前記第２熱交換器１６と前記ドレインパン１９を経由して排気ダクト１０内に送ることで発生した凝結水や結露を乾燥させる。
【００４３】
一般には微風があるだけで、付着した結露は減少する効果があるため、省エネの関係もあり、換気ファン５を微風量で運転させる。
【００４４】
（実施の形態４）
本発明の実施の形態４について図１〜２に基づいて図６を参照しながら説明する。図２は図１の主要部分の動作状態を示す図であり、図６は乾燥運転のタイミングチャートである。理解を容易にするために、実施の形態１と同一部分は同一番号を附し詳細な説明を簡略化する。
【００４５】
圧縮機の冷媒の流路を切替える冷媒切替弁２１と、冷媒切替弁２１の切替えにより冷媒を圧縮する圧縮機１３から順番に前記冷媒切替弁２１、前記換気ファン５により送風される空気と冷媒を熱交換させる第２熱交換器１６、膨張機構１５、前記循環ファン１２により送風される空気と冷媒を熱交換させる第１熱交換器１４へ冷媒を循環させるように配管接続した冷媒回路１７ｂとを設け、冷媒切替弁２１を切替えて圧縮機１３を運転すると、周辺の空気から冷媒が放熱と吸熱をする第１熱交換器１４と第２熱交換器１６が実施の形態２と逆になる。すなわち、前記換気ファン５により第２熱交換器１６は放熱し、前記循環ファン１２により第１熱交換器は吸熱する。
【００４６】
乾燥運転中は実施の形態２と同様に前記冷媒切替弁２１を切替えないで圧縮機１３を運転させることで、第２熱交換器１６やドレインパン１９に凝結水の付着や排気ダクト１０内に結露が発生する。
【００４７】
そのため、制御装置７ｄは乾燥運転終了後に前記開閉装置６と前記換気ファン５を駆動しながら、前記冷媒切替弁２１の切替えをして前記冷媒回路１７ｂを運転させて空気を第２熱交換器１６とドレインパン１９と排気ダクト１０内に送りこむ構成としたものであり、前記冷媒切替弁２１の切替えをして前記冷媒回路１７ｂの運転により前記第２熱交換器１６が放熱することで、第２熱交換器１６に付着した凝結水の蒸発の促進や放熱空気をドレインパン１９と排気ダクト１０内に送りこむことにより、凝結水や排気ダクト１０の結露を乾燥させる。
【００４８】
なお、実施の形態４での運転状態を乾燥運転にて説明したが、換気運転終了後にて同様の動きをさせてもよく、その作用効果に差異を生じない。
【００４９】
また、図６のタイミングチャートでは換気ファン５の運転時間より冷媒回路１７ｂの運転時間の方を短くしたが、同じ時間だけ運転させてもよく、その作用効果に差異を生じない。
【００５０】
（実施の形態５）
本発明の実施の形態５について図１を用いて説明する。理解を容易にするために、実施の形態１、２及び３と同一部分は同一番号を附し詳細な説明を簡略化する。
【００５１】
制御装置７ｅは年間カレンダーを設けることで、季節により換気運転終了後や乾燥運転終了後もしくは暖房運転終了後の開閉装置６と換気ファン５を駆動する時間を変えることができる。具体的には梅雨時期や夏季には、年間平均と比べると天井裏の空気や他室の空気の湿度が高く、カビが発生しやすいため、換気運転終了後や乾燥運転終了後の開閉装置６と換気ファン５を駆動する時間を長くすることで、凝結水や結露除去をおこなう。反対に冬季は比較的湿度が低いため、換気運転終了後や乾燥運転終了後もしくは暖房運転終了後の開閉装置６と換気ファン５を駆動する時間を短くする。冬季の天井裏の空気や他室の空気の排気や換気ファン５の運転を短くすることで省エネ効果にもつながる。
【００５２】
（実施の形態６）
本発明の実施の形態６について図１を用いて説明する。理解を容易にするために、実施の形態１、２及び３と同一部分は同一番号を附し詳細な説明を簡略化する。
【００５３】
前記他室吸気口の近傍に湿度検知する湿度センサー２０を設けることで、制御装置７ｆは天井裏の空気や他室の空気の吸気湿度に応じて、換気運転終了後や乾燥運転終了後もしくは暖房運転終了後の開閉装置６と換気ファン５を駆動する時間を変えることができる。具体的には天井裏の空気や他室の空気の吸気湿度が高い場合、例えば相対湿度７０％以上では、開閉装置６と換気ファン５を駆動する時間を標準より長く運転させる。逆に吸気湿度が低い場合、例えば相対湿度５０％以下では、開閉装置６と換気ファン５を駆動する時間を標準より短く運転させ、天井裏の空気や他室の空気の排気や換気ファン５の運転を短くすることで省エネ効果にもつながる。
【００５４】
なお、実施の形態１、２及び４のタイミングチャートでは換気運転終了後及び乾燥運転終了後に開閉装置６の閉鎖時に換気ファン５を汽笛音の発生防止のために一度停止させたが、換気ファン５を連続運転させてもよく、その作用効果に差異を生じない。
【００５５】
同様に実施の形態３のタイミングチャートでは暖房運転終了後に換気ファン５を一度停止させたが、連続運転させてもよく、その作用効果に差異を生じない。
【００５６】
また、実施の形態１、２，３、４、５及び６では換気運転、乾燥運転、暖房運転の運転時間に応じて、各運転終了後に開閉装置６と換気ファン５を駆動する時間を変えても良く、具体的には各運転時間がないほど、凝結水や結露を乾燥させるための時間を長く運転させても良く、その作用効果に差異を生じない。
【００５７】
また、実施の形態１、２，３、４、５及び６では換気ファン５の風量ノッチをＤＣモータのように無段階にした場合や開閉装置６を開閉量の調整できるダンパーモーターを用いても良い。そして、開閉量の調整できるダンパーモーターの場合に、換気運転終了後や乾燥運転終了後に凝結水や結露を乾燥させるために開閉装置６を少し開け、浴室の空気の一部を排気してもよく、その作用効果に差異を生じない。
【産業上の利用可能性】
【００５８】
以上のように本発明にかかる換気空調装置は、浴室の換気空調のみならず、キッチンあるいは洗面所等の換気空調装置などにも適用することができる。
【図面の簡単な説明】
【００５９】
【図１】本発明の実施の形態１に係る換気空調装置の風路構成及び冷媒回路を示す図
【図２】本発明の換気空調装置の各運転パターンにおける動作状態を示す図
【図３】本発明の換気空調装置の換気運転のタイミングチャート
【図４】本発明の換気空調装置の乾燥運転のタイミングチャート
【図５】本発明の換気空調装置の暖房運転のタイミングチャート
【図６】本発明の換気空調装置の乾燥運転のタイミングチャート
【符号の説明】
【００６０】
２      本体
３      吸込口
４      他室吸気口
５      換気ファン
６      開閉装置
７ａ    制御装置
７ｂ    制御装置
７ｃ    制御装置
７ｄ    制御装置
７ｅ    制御装置
７ｆ    制御装置
８      第１の換気風路
９      第２の換気風路
１０    排気ダクト
１１    吹出口
１２    循環ファン
１３    圧縮機
１４    第１熱交換器
１５    膨張機構
１６    第２熱交換器
１７ａ  冷媒回路
１７ｂ  冷媒回路
１８    循環風路
１９    ドレインパン
２０    湿度センサー
２１    冷媒切替弁
【図１】
2010091208.tif 000003
【図２】
2010091208.tif 000004
【図３】
2010091208.tif 000005
【図４】
2010091208.tif 000006
【図５】
2010091208.tif 000007
【図６】
2010091208.tif 000008